(57)【特許請求の範囲】
【請求項１】
光透過領域及び前記光透過領域の縁の部分に配置された遮光領域を含む、液晶パネルと、
液晶パネルとは反対側に配置された光変換フィルムであって、前記光変換フィルムが、前記遮光領域とは反対側に配置された第１の側部を含む、光変換フィルムと、
前記液晶パネルと前記光変換フィルムとの間に配置された輝度増強フィルムと、
前記第１の側部と前記遮光領域との間に配置され、前記液晶パネルを支持するように構成された支持部と、
前記支持部を支持する上部階段面及び前記第１の側部を支持する階段面を有するベアリング部と、を含む、液晶モジュール。
【請求項２】
前記輝度増強フィルムが、前記支持部と平行に、前記第１の側部と前記遮光領域との間に配置された第２の側部を含む、請求項１に記載の液晶モジュール。
【請求項３】
前記支持部が金属材料からなる、請求項１または２に記載の液晶モジュール。
【請求項４】
空隙が、前記第１の側部と前記支持部との間に存在する、請求項１から３のいずれか一項に記載の液晶モジュール。
【請求項５】
前記支持部が前記ベアリング部の上に接合された、請求項４に記載の液晶モジュール。
【請求項６】
前記液晶モジュールがさらに光ガイドと反射体とを含み、前記光ガイドが前記反射体と前記光変換フィルムとの間に配置され、前記反射体が前記ベアリング部の上に接合された、請求項４または５に記載の液晶モジュール。
【請求項７】
前記液晶モジュールがさらに遮光テープを含み、前記遮光テープが、前記支持部及び前記遮光領域を接合するために使用される、請求項１から３のいずれか一項に記載の液晶モジュール。
【請求項８】
請求項１から７のいずれか一項に記載の液晶モジュールを含む電子デバイスであって、前記電子デバイスが支持構成要素を含み、前記支持構成要素が、前記第１の側部と前記遮光領域との間に配置され、前記液晶パネルを支持するように構成された支持部を含む、電子デバイス。
【請求項９】
前記支持構成要素が枠形状または棒状である、請求項８に記載の電子デバイス。
【請求項１０】
前記支持構成要素が、前記輝度増強フィルムの縁の部分の周囲に配置された、請求項８または９に記載の電子デバイス。
【請求項１１】
前記液晶モジュールがさらにベアリングフレームを含み、
前記ベアリングフレームがベアリング部を含み、
前記支持構成要素がさらに、前記ベアリングフレームの縁の周囲に配置され、前記支持部と接続された基部を含む、請求項８から１０のいずれか一項に記載の電子デバイス。
【発明の詳細な説明】
【技術分野】
【０００１】
本発明は、電子デバイス技術の分野に関し、具体的には、液晶モジュール及び電子デバイスに関する。
【背景技術】
【０００２】
現在、情報構築が活況を呈しており、例えば、テレビ、コンピュータ、携帯電話及び電子掲示板ディスプレイスクリーンなどの情報を表示する端末として使用される液晶ディスプレイデバイスは、我々の生活及び業務に欠かせないものとなっている。
【０００３】
量子ドット増強フィルムを用いる既存の液晶ディスプレイの液晶モジュールは、一般に、液晶パネルと、反射体と、プラスチックフレームと、輝度増強シートと、量子ドット増強フィルムと、光ガイドと、を含む。プラスチックフレームは、液晶パネルと反射体との間の支持を提供する。輝度増強シート、量子ドット増強フィルム、及び光ガイドは、液晶パネルと反射体との間に重ねて設けられ、プラスチックフレーム内に配置される。
【０００４】
一般に、境界の狭い液晶パネルの縁の部分における遮光層は、約０．８から１．４ｍｍの幅を有する。この場合、遮光層の幅は最大で１．４ｍｍになると考えられる。液晶パネルの縁の部分が依然として製造許容範囲及び取り付け許容範囲が存在する場合に、プラスチックフレームで確実に支持できるようにするためには、遮光層のうち少なくとも幅０．５ｍｍがプラスチックフレームで支持される。さらに、プラスチックフレームと量子ドット増強フィルムとの間には、０．１５ｍｍの間隔が維持されるべきである。従って、遮光層の下に配置された量子ドット増強フィルムは、わずか１．４−０．５−０．１５＝０．７５ｍｍの幅しか有しないこととなる。
【０００５】
しかし、量子ドット増強フィルムの固有の特徴によれば、空気にさらされると、量子ドット増強フィルムの縁の部分は空気中の酸素及び水分によって腐食しうる。そのため、一般に０．８ｍｍ幅の冗長領域を、量子ドット増強フィルムの縁の部分にあらかじめ設けておくべきである。
【０００６】
０．７５ｍｍは、０．８ｍｍよりも小さいため、液晶モジュールが一定期間使用された後に、量子ドット増強フィルムの縁は空気中の酸素及び水分によって腐食されるおそれがあり、光漏洩現象が、前述の液晶モジュールの縁の部分において発生する恐れがある。
【発明の概要】
【課題を解決するための手段】
【０００７】
本発明の実施形態は、液晶モジュールの量子ドット増強フィルムが空気中の酸素及び水分で腐食して光の漏洩が縁の部分で発生しうるという先行技術の技術的課題を解決する液晶モジュール及び電子デバイスを提供し、液晶パネルの縁の部分における光漏洩を防ぐ技術的効果を達成する。
【０００８】
本発明の実施形態の第１の態様は、光透過領域及び光透過領域の縁の部分に配置された遮光領域を含む、液晶パネルと、液晶パネルとは反対側に配置された光変換フィルムであって、光変換フィルムが、遮光領域とは反対側に配置された第１の側部を含み、第１の側部の幅が０．８ｍｍ以上である、光変換フィルムと、液晶パネルと光変換フィルムとの間に配置された輝度増強フィルムと、第１の側部と遮光領域との間に配置され、液晶パネルを支持するように構成された支持部と、を含む、液晶モジュールを提供する。
【０００９】
第１の態様の第１の可能な実施形態において、輝度増強フィルムは、支持部と平行に、第１の側部と遮光領域との間に配置された第２の側部を含む。
【００１０】
第１の態様または第１の態様の第１の可能な実施形態を参照して、第１の態様の第２の可能な実施形態において、支持部は金属材料からなる。
【００１１】
第１の態様または、第１の態様の第１もしくは第２の可能な実施形態を参照して、第１の態様の第３の可能な実施形態において、液晶モジュールはさらに、支持部を支持するためのベアリング部を含み、空隙が、第１の側部と支持部との間に存在する。
【００１２】
第１の態様の第３の可能な実施形態を参照して、第１の態様の第４の可能な実施形態において、支持部はベアリング部の上に接合される。
【００１３】
第１の態様の第３または第４の可能な実施形態を参照して、第１の態様の第５の可能な実施形態において、液晶モジュールはさらに光ガイドと反射体とを含み、光ガイドが反射体と光変換フィルムとの間に配置され、反射体がベアリング部の上に接合される。
【００１４】
第１の態様または第１の態様の第１もしくは第２の可能な実施形態を参照して、第１の態様の第６の可能な実施形態において、液晶モジュールはさらに、第１の側部を支持するためのベアリング部を含む。
【００１５】
第１の態様または第１の態様の第１もしくは第２の可能な実施形態を参照して、第１の態様の第７の可能な実施形態において、液晶モジュールがさらにベアリング部を含み、ベアリング部が、支持部を支持する上部階段面及び第１の側部を支持する階段面を有する。
【００１６】
第１の態様または第１の態様の第１もしくは第２の可能な実施形態を参照して、第１の態様の第８の可能な実施形態において、液晶モジュールはさらに遮光テープを含み、遮光テープが、支持部及び遮光領域を接合するために使用される。
【００１７】
本発明の実施形態の第２の態様は、光透過領域及び光透過領域の縁の部分に配置された遮光領域を含む、液晶パネルと、液晶パネルとは反対側に配置された光変換フィルムであって、光変換フィルムが、遮光領域とは反対側に配置された第１の側部を含み、第１の側部の幅が０．８ｍｍ以上である、光変換フィルムと、液晶パネルと光変換フィルムとの間に配置された輝度増強フィルムと、第１の側部と遮光領域との間に配置され、液晶パネルを支持するように構成された支持部を含む支持構成要素と、を含む、電子デバイスを提供する。
【００１８】
第２の態様を参照して、第２の態様の第１の可能な実施形態において、支持構成要素は枠形状または棒状である。
【００１９】
第２の態様または第２の態様の第１の可能な実施形態を参照して、第２の態様の第２の可能な実施形態において、支持構成要素は、輝度増強フィルムの縁の部分の周囲に配置される。
【００２０】
第２の態様または第２の態様の第１もしくは第２の可能な実施形態を参照して、第２の態様の第３の可能な実施形態において、支持部は金属材料からなる。
【００２１】
第２の態様または第２の態様の第１から第３の可能な実施形態のいずれか１つを参照して、第２の態様の第４の可能な実施形態において、電子デバイスはさらに、支持部を支持するためのベアリングフレームを含み、空隙が、第１の側部と支持部との間に存在する。
【００２２】
第２の態様または第２の態様の第１から第４の可能な実施形態のいずれか１つを参照して、第２の態様の第５の可能な実施形態において、支持部はベアリングフレームの上に接合される。
【００２３】
第２の態様または第２の態様の第１から第５の可能な実施形態のいずれか１つを参照して、第２の態様の第６の可能な実施形態において、電子デバイスがさらに光ガイドと反射体とを含み、光ガイドが反射体と光変換フィルムとの間に配置され、反射体がベアリングフレームの上に接合される。
【００２４】
第２の態様または第２の態様の第１から第６の可能な実施形態のいずれか１つを参照して、第２の態様の第７の可能な実施形態において、液晶モジュールはさらにベアリングフレームを含み、ベアリングフレームがベアリング部を含み、支持構成要素はさらに、ベアリングフレームの縁の周囲に配置され、支持部と接続された基部を含む。
【００２５】
第２の態様または第２の態様の第１から第７の可能な実施形態のいずれか１つを参照して、第２の態様の第８の可能な実施形態において、電子デバイスはさらに遮光テープを含み、遮光テープが、支持部及び遮光領域を接合するために使用される。
【００２６】
本発明の実施形態は、以下の有利な効果を有する。
【００２７】
前述の液晶モジュール及び電子デバイスにおいて、支持部は第１の側部と遮光領域との間に配置され、支持部は液晶パネルを支持するために使用され、それにより製造許容量及び搭載許容量が存在する場合に、液晶パネルの縁の部分を確実に支持できる。さらに、第１の側部の幅が０．８ｍｍまたは０．８ｍｍより大きく設定され、それによって、光変換フィルムは冗長領域に十分な空間を確実に有することができるようにする。これは、液晶モジュールの量子ドット増強フィルムの縁の部分が空気中の酸素及び水分によって腐食され、遮光層の下に位置する量子ドット増強フィルムがわずか０．７５ｍｍの幅しか有さず、光の漏洩が縁の部分で発生する可能性があるという先行技術における技術的課題を解決し、液晶パネルの縁の部分における光の漏洩を防止するという技術的効果を奏する。
【図面の簡単な説明】
【００２８】
【図１】本発明の第１の例示的な実施形態に従う液晶モジュールの概略的な断面図である。
【図２】本発明の第２の例示的な実施形態に従う液晶モジュールの概略的な断面図である。
【図３】本発明の第３の例示的な実施形態に従う液晶モジュールの概略的な断面図である。
【図４】本発明の第４の例示的な実施形態に従う液晶モジュールを有する電子デバイスの正面図である。
【発明を実施するための形態】
【００２９】
本発明の実施形態は、液晶モジュール及び電子デバイスを提供し、これらは液晶モジュールの量子ドット増強フィルムの縁の部分が空気中の酸素及び水分によって腐食し、光の漏洩が縁の部分で発生するという先行技術の技術的課題を解決し、液晶パネルの縁の部分における光の漏洩を防止する技術的効果を奏する。
【００３０】
前述の技術的課題を解決するために、本発明の実施形態の技術的解決手段の概要的な思想は以下の通りである。
【００３１】
液晶モジュールは、光透過領域及び光透過領域の縁の部分に配置された遮光領域を含む液晶パネルと、液晶パネルとは反対側に配置された光変換フィルムであって、この光変換フィルムが遮光領域とは反対側に配置された第１の側部を含み、第１の側部の幅が０．８ｍｍ以上である、光変換フィルムと、液晶パネルと光変換フィルムとの間に配置された輝度増強フィルムと、第１の側部と遮光領域との間に配置され、液晶パネルを支持するように構成された支持部と、を含む。
【００３２】
電子デバイスは、光透過領域及び光透過領域の縁の部分に配置された遮光領域を含む液晶パネルと、液晶パネルとは反対側に配置された光変換フィルムであって、この光変換フィルムが遮光領域とは反対側に配置された第１の側部を含み、第１の側部の幅が０．８ｍｍ以上である、光変換フィルムと、液晶パネルと光変換フィルムとの間に配置された輝度増強フィルムと、第１の側部と遮光領域との間に配置され、液晶パネルを支持するように構成された支持部を含む支持構成要素と、を含む。
【００３３】
前述の液晶モジュール及び電子デバイスにおいて、支持部は第１の側部と遮光領域との間に配置され、支持部は液晶パネルを支持するために使用され、これによって、製造許容量及び搭載許容量が存在する場合に液晶パネルの縁の部分が確実に支持可能になるようにする。さらに、第１の側部の幅が０．８ｍｍまたは０．８ｍｍよりも大きくなるように設定され、これによって、光変換フィルムが、冗長領域に十分な空間を確実に有することができるようになる。これは、液晶モジュールの量子ドット増強フィルムの縁の部分が空気中の酸素及び水分によって腐食し、遮光層の下に配置された量子ドット増強フィルムがわずか０．７５ｍｍの幅しか有さず、光の漏洩が縁の部分で発生する可能性があるという先行技術の技術的課題を解決し、液晶パネルの縁の部分における光の漏洩を防止するという技術的効果を奏する。
【００３４】
前述の技術的解決手段をより理解するために、以下において、明細書の図面及び特定の実施形態を参照して詳細に前述の技術的解決手段を説明する。
【００３５】
実施形態１
図１は、本発明の第１の実施形態に従う液晶モジュール２００の概略的な断面図を示している。液晶モジュール２００は、液晶パネル２１０と、光変換フィルム２２０と、輝度増強フィルム２３０と、支持構成要素２４０と、を含む。
【００３６】
液晶パネル２１０は、光透過領域２１１と、光透過領域２１１の縁の部分に配置された遮光領域２１２とを含む。光透過領域２１１、すなわち、ディスプレイ領域とも呼ばれるアクティブ領域は、画像またはデータを表示するのに使用される。遮光領域２１２、すなわち、黒色遮光層とも呼ばれるＢＭ（ブラックマトリクス、Ｂｌａｃｋ  Ｍａｔｒｉｘ）は、液晶モジュール２００における光を遮蔽し、光の放出を防ぐのに使用され、そうでなければ光の漏洩現象が発生する可能性がある。液晶パネル２１０は、上部偏光板と、光フィルタガラスと、光フィルタと、ブラックマトリクスと、液晶層と、薄膜トランジスタと、薄膜トランジスタガラスと、下部偏光板と、バックライトシートとを含んでもよく、これらは順に重ねて配置される。
【００３７】
光変換フィルム２２０は、液晶パネル２１０とは反対側に配置され、光の周波数を変化させるために使用される。光変換フィルム２２０は、遮光領域２１２とは反対側に配置された第１の側部２２１を含み、第１の側部２２１の幅Ｗは、０．８ｍｍ以上である。第１の側部２２１は、光変換フィルム２２０の冗長領域であり、すなわち、光変換フィルム２２０は、光透過領域２１１の反対側の有効領域と、有効領域の第１の縁に接続された冗長領域と、を含む。第１の側部２２１の幅Ｗは、冗長領域における第１の縁と第２の縁との間の最小距離であり、第２の縁は第１の縁からは離れている。
【００３８】
この実施形態において、光変換フィルム２２０は、具体的には量子ドット増強フィルムである。量子ドット増強フィルムは、接着剤または類似のものとともにドープされた量子ドット材料からなり、上面上の保護フィルムと下面上の保護フィルムとでコートされた量子ドットマトリクスであり、量子ドット材料は、赤色の光及び、青色の光によって励起された緑色の光を放出しうる。青色の光が量子ドット増強フィルムに照射されると、青色の光の一部は赤色の光及び緑色の光に変換され、最終的に混合されて白色光を形成する。切断のために、量子ドット増強フィルムの縁の部分は空気にさらされる可能性があり、量子ドット材料は空気中の酸素及び水分によって、外側から内側まで徐々に腐食される可能性がある。腐食深さが増加すると、腐食速度は次第に遅くなり、通常の使用状態では、腐食深さはおよそ０．６から０．８ｍｍである。他の実施形態において、光変換フィルム２２０は、光の周波数を変化させることができ、その縁が腐食される恐れがある任意の光変換フィルムでありえ、量子ドット増強フィルムに限定されない。
【００３９】
輝度増強膜２３０は、液晶パネル２１０と光変換フィルム２２０との間に配置され、光の方向を変化させるのに使用される。輝度増強フィルム２３０は、上部輝度増強シート２３１及び下部輝度増強シート２３２を含む。上部輝度増強シート２３１は、液晶パネル２１０と下部輝度増強シート２３２との間に配置される。下部輝度増強シート２３２は、上部輝度増強シート２３１と光変換フィルム２２０との間に配置される。上部輝度増強シート２３１及び下部輝度増強シート２３２の機能は、光の方向をディスプレイスクリーンに対して垂直な方向に変換し、これによってディスプレイスクリーンに対して垂直な方向の輝度を増加することである。
【００４０】
輝度増強フィルム２３０の大きさは、液晶パネル２１０の光透過領域２１１の大きさよりも大きい。そのため、輝度増強フィルム２３０はさらに、第１の側部２２１と遮光領域２１２との間に配置された第２の側部２３３を含む。第２の側部２３３は、遮光テープ２４３を使用することによって、遮光領域２１２の上に接合される。さらに、輝度増強フィルム２３０の大きさは、光変換フィルム２２０の大きさよりも小さい。
【００４１】
支持構成要素２４０は、支持部２４１と、支持部２４１に接続された基部２４２とを含む。支持部２４１は、第１の側部２２１と遮光領域２１２との間に配置され、液晶パネル２１０を支持するのに使用される。支持部２４１は、遮光テープ２４３を使用することによって、遮光領域２１２の上に接合される。
【００４２】
具体的には、支持構成要素２４０は枠形状であって、輝度増強フィルム２３０の縁の部分の周囲に配置されてもよく、または輝度増強フィルム２３０の縁の部分に部分的に重なってもよい。支持構成要素２４０は、支持部２４１を使用することによって遮光領域２１２の一部と接触した状態であってもよく、または遮光領域２１２の全体と接触した状態であってもよい。すなわち、支持部２４１は、光の漏洩が発生し得る領域のみに配置され、光の漏洩が発生し得ない領域には配置されなくてもよい。さらに、支持部２４０は、棒状またはブロック状であってもよく、光の漏洩が発生する可能性のある領域に直接配置されてもよい。
【００４３】
この実施形態において、支持構成要素２４０は組み立てを容易にするために枠形状である。支持構成要素２４０が輝度増強フィルム２３０の縁の部分の周囲に配置されると、支持部２４１及び第２の側部２３３は、第１の側部２２１と遮光領域２１２との間に平行に配置され、遮光テープ２４３を使用することによって遮光領域２１２の上に接合される。これは、支持部２４１と輝度増強フィルム２３０との重なりを防ぎ、液晶モジュール２００の厚さを低減するだけでなく、光の漏洩をさらに防ぐという技術的効果を奏することができる。
【００４４】
支持構成要素２４０は金属材料からなるものであってもよく、またはプラスチック材料からなるものであってもよい。代替的に、支持部２４１は金属材料からなり、基部２４２はプラスチック材料からなる。この実施形態において、支持構成要素２４０は金属材料からなる。金属材料からなる支持部２４１の厚さはプラスチック材料からなる支持部２４１の厚さよりも小さいので、液晶モジュール２００の厚さが低減される。
【００４５】
液晶モジュール２００はさらに、ベアリングフレーム２５０を含む。ベアリングフレーム２５０はプラスチックフレームであってもよく、金属フレームであってもよく、これらは必要性に応じて使用者が選択しうる。ベアリングフレーム２５０は光変換フィルム２２０の縁の部分の周囲に配置され、空隙が、ベアリングフレーム２５０と光変換フィルム２２０との間に存在する可能性がある。この場合、プラスチックフレームは、もはや液晶パネル２１０を直接支持する必要がない。そのため、ベアリングフレーム２５０の大きさは、光変換フィルム２２０が、冗長領域に十分な空間を確実に有する場合に設計されうる。
【００４６】
ベアリングフレーム２５０は、支持部２４１を支持するためのベアリング部２５１を含み、ベアリング部２５１は支持部２４１の上に接合される。支持部２４１を支持するためのベアリング部２５１の表面は、光変換フィルム２２０の上面よりも高く、空隙が光変換フィルム２２０の第１の側部２２１と支持部２４１との間に存在し、それによって、支持部２４１の圧力下における光変換フィルム２２０の変形を防止する。さらに、この実施形態において、支持構成要素２４０が枠形状である場合、ベアリングフレーム２５は基部２４２内に収容される。
【００４７】
この実施形態において、ベアリングフレーム２５０の機能は、支持部２４１を支持することである。他の実施形態において、ベアリングフレーム２５０は配置されない可能性があるが、支持構成要素２４０の基部２４２は支持部２４１を支持するために直接的に使用され、または、基部２４２は配置されない可能性があるが、支持部２４１は電子デバイスの筐体に直接固定される。
【００４８】
液晶モジュール２００はさらに、光ガイド２６０及び反射体２７０を含む。光ガイド２６０は、反射体２７０と光変換フィルム２２０との間に配置される。反射体２７０は、支持部２４１とは反対側のベアリング部２５１の一端に接合されうる。光ガイド２６０は、側面光源を平面光源に変換し、光を均一に放出するために使用される。反射体２７０は、光ガイド２６０によって反射体２７０に放射された光源を反射して光ガイド２６０に戻す。
【００４９】
前述の液晶モジュール２００において、支持部２４１は、第１の側部２２１と遮光領域２１２との間に配置され、支持部２４１は液晶パネル２１０を支持するために使用され、それによって、製造許容量及び搭載許容量が存在する場合に、液晶パネル２１０の縁の部分が確実に支持できるようにする。さらに、第１の側部の幅Ｗは０．８ｍｍまたは０．８ｍｍより大きく設定され、それによって、光変換フィルム２２０は冗長領域において十分な空間を確実に有することができるようにする。これは、液晶モジュールの量子ドット増強フィルムの縁の部分が空気中の酸素及び水分によって腐食し、遮光層の下に配置された量子ドット増強フィルムがわずか０．７５ｍｍの幅しか有さず、光の漏洩が縁の部分で発生しうるという先行技術の技術的課題を解決し、液晶パネルの縁の部分において、光の漏洩を防止する技術的効果を奏する。
【００５０】
支持構成要素２４０を枠形状に配置することによって、組み立てが容易になる。
【００５１】
支持部２４１及び第２の側部２３３を、第１の側部２２１と遮光領域２１２との間で平行に配置することにより、支持部２４１と輝度増強フィルム２３０との重なりが回避され、液晶モジュール２００の厚さが低減される。
【００５２】
支持部２４１及び第２の側部２３３を、遮光テープ２４３を使用することによって遮光領域２１２上に接合することにより、さらに光の漏洩を防止するという技術的効果が達成される。
【００５３】
輝度増強フィルム２３０の縁の周囲に支持構成要素２４０を配置することにより、支持部２４１と輝度増強フィルム２３０との重なりが回避され、液晶モジュール２００の厚さが低減される。
【００５４】
金属材料からなる支持構成要素２４０を配置することにより、金属材料からなる支持部の厚さがプラスチック材料からなる支持部の厚さよりも小さいため、液晶モジュール２００の厚さが低減される。光変換フィルムの第１の側部と支持部との間に空隙を残すことによって、支持部の圧力下における光変換フィルムの変形が防止される。
【００５５】
実施形態２
図２は、本発明の第２の例示的な実施形態に従う液晶モジュール３００の概略的な断面図を示している。液晶モジュール３００では、光変換フィルム３２０と、支持部３４１と、ベアリングフレーム３５０との間の位置関係が、液晶モジュール２００の光変換フィルム２２０と、支持部２４１と、ベアリングフレーム２５０との間の位置関係とは異なることを除いて、その他の構成要素、構成要素の機能、及び構成要素間の関係は同一である。同じ部品について本明細書でさらに説明することはない。
【００５６】
液晶パネル２１０の縁の部分における遮光領域２１２の幅が小さい場合、支持部３４１を支持するためのベアリングフレーム３５０の幅が低減される可能性があり、光変換フィルム３２０が冗長領域において十分な空間を確実に有するようにする。ベアリングフレーム３５０は、階段状に配置されてもよい。すなわち、ベアリングフレームは、支持部３４１を支持する上側階段面３５１と、上側階段面３５１より低く、光変換フィルム３２０の第１の側部を支持するために使用される階段面３５２とを有する。換言すれば、実施形態１の液晶モジュールにおけるベアリングフレーム２５０の内側の一部が、十分な空間を残して切り落とされ、光変換フィルム３２０の冗長部が確実に０．８ｍｍ以上になるようにし、すなわち、第１の側部３２１の幅Ｗが０．８ｍｍ以上になるようにし、自由になった空間がさらに、光変換フィルム３２０の第１の側部３２１を支持するのに使用されうる。
【００５７】
同様に、前述の液晶モジュール３００において、支持部３４１は第１の側部３２１と遮光領域２１２との間に配置され、支持部３４１は液晶パネル２１０を支持するために使用され、それによって、製造許容量及び搭載許容量が存在する場合に、液晶パネル２１０の縁の部分を確実に支持することを可能にする。さらに、第１の側部の幅Ｗは０．８ｍｍまたは０．８ｍｍより大きく設定され、それによって、光変換フィルム３２０は冗長領域に十分な空間を確実に有することができるようにする。これは、液晶モジュールの量子ドット増強フィルムの縁の部分が空気中の酸素及び水分によって腐食され、遮光層の下に位置する量子ドット増強フィルムがわずか０．７５ｍｍの幅しか有さず、光の漏洩が縁の部分で発生する可能性があるという先行技術の技術的課題を解決し、液晶パネルの縁の部分における光の漏洩を防止する技術的効果を奏する。
【００５８】
実施形態３
図３は、本発明の第３の例示的な実施形態に従う液晶モジュール４００の概略的な断面図を示している。液晶モジュール４００においては、光変換フィルム４２０と、支持部４４１と、ベアリングフレーム４５０との間の位置関係が液晶モジュール２００の光変換フィルム２２０と、支持部２４１と、ベアリングフレーム２５０との間の位置関係と異なることを除いて、その他の構成要素、構成要素の機能及び構成要素間の関係は同一である。同じ部分については、本明細書でさらに説明することはない。
【００５９】
この実施形態において、光変換フィルム４２０の第１の側部４２１はベアリングフレーム４５０と支持部４４１との間に配置され、ベアリングフレーム４５０及び支持部４４１の上に接合される。換言すれば、実施形態１の液晶モジュールのベアリングフレーム２５０の頂部が、十分な空間を残すように直接切り取られ、光変換フィルム４２０の冗長領域が確実に０．８ｍｍ以上になるようにし、すなわち、光変換フィルム４２０の第１の側部４２１の幅ＷＷが０．８ｍｍ以上になるようにし、自由になった空間はさらに、光変換フィルム４２０の第１の側部４２１を支持するために使用されうる。
【００６０】
同様に、前述の液晶モジュール４００において、支持部４４１は第１の側部４２１と遮光領域２１２との間に配置され、支持部４４１は液晶パネル２１０を支持するために使用され、それによって、製造許容量及び搭載許容量が存在する場合に、液晶パネル２１０の縁の部分が支持可能である。さらに、第１の側部４２１の幅Ｗは０．８ｍｍまたは０．８ｍｍよりも大きく設定され、それによって、光変換フィルム４２０は冗長領域において十分な空間を確実に有することができるようにする。これは、液晶モジュールの量子ドット増強フィルムの縁が空気中の酸素及び水分によって腐食され、遮光層の下に位置する量子ドット増強フィルムがわずか０．７５ｍｍの幅しか有さず、光の漏洩が縁の部分で発生する可能性があるという先行技術の技術的課題を解決し、液晶パネルの縁の部分における光の漏洩を防止するという技術的効果を奏する。
【００６１】
実施形態４
図４は、本発明の第４の例示的な実施形態に従う電子デバイス１００の正面図を示す。電子デバイス１００は筐体１１０と、液晶モジュール１２０と、筐体１１０内に配置されたその他の電子部品とを含む。
【００６２】
液晶モジュール１２０は、実施形態１の液晶モジュール２００であってよく、または実施形態２の液晶モジュール３００であってよく、または実施形態３の液晶モジュール４００であってよい。そのため、液晶モジュール１２０の構造については、本明細書でさらに説明することはない。
【００６３】
前述の電子デバイス１００において、支持部は第１の側部と遮光領域との間に配置され、支持部は液晶パネルを支持するために使用され、それによって、製造許容量及び搭載許容量が存在する場合に、液晶パネルの縁の部分を確実に支持できるようにする。さらに、第１の側部の幅Ｗが０．８ｍｍまたは０．８ｍｍより大きく設定され、それによって、光変換フィルムは冗長領域において十分な空間を確実に有することができるようにする。これは、液晶モジュールの量子ドット増強フィルムの縁の部分が空気中の酸素及び水分によって腐食され、遮光層の下に位置する量子ドット増強膜がわずか０．７５ｍｍの幅しか有さず、光の漏洩が縁の部分で発生する可能性があるという先行技術における技術的課題を解決し、液晶パネルの縁の部分における光の漏洩を防止するという技術的効果を奏する。
【００６４】
本発明のいくつかの例示的な実施形態が説明されたが、当業者であれば、一度基本的な発明の概念を知れば、これらの実施形態に変更及び改良を施すことができる。従って、以下の特許請求の範囲は、本発明の範囲内の例示的な実施形態ならびにすべての変更及び改良をカバーするものとして解釈されることを意図される。
【００６５】
明らかに、当業者であれば、本発明の範囲を逸脱することなく、本発明に対して様々な改良や変形を施すことができる。本発明は、以下の特許請求の範囲及びその等価な技術によって定義される保護範囲内に属するように提供されたこれらの改良及び変形をカバーするように意図される。
【符号の説明】
【００６６】
１００  電子デバイス
１１０  筐体
１２０  液晶モジュール
２００  液晶モジュール
２１０  液晶パネル
２１１  光透過領域
２１２  遮光領域
２２０  光変換フィルム
２２１  第１の側部
２３０  輝度増強フィルム
２３１  上部輝度増強シート
２３２  下部輝度増強シート
２３３  第２の側部
２４０  支持構成要素
２４１  支持部
２４２  基部
２４３  遮光テープ
２５０  ベアリングフレーム
２５１  ベアリング部
２６０  光ガイド
２７０  反射体
３００  液晶モジュール
３２０  光変換フィルム
３２１  第１の側部
３４１  支持部
３５０  ベアリングフレーム
３５１  上側階段面
３５２  階段面
４００  液晶モジュール
４２０  光変換フィルム
４２１  第１の側部
４４１  支持部
４５０  ベアリングフレーム
【図１】
0006300925.tif 000002
【図２】
0006300925.tif 000003
【図３】
0006300925.tif 000004
【図４】
0006300925.tif 000005